(57)【要約】本発明は展望タワーを開示する。より詳細には可動展望室を備える展望タワーを開示する。展望タワーの一実施態様は、直立支持部材２と、同支持部材を上下に移動可能な展望室３とを備え、前記展望室は環状、特にトロイダル形状の外形を有する。
2008510909.tif 000002
【特許請求の範囲】
【請求項１】
ほぼ直立した支持部材と、
同支持部材を上下に移動可能な環状をなす展望室とを備え、
展望室は支持部材から径方向外方に突出するとともに、支持部材に対してほぼ直角をなし、かつ外周の周りにおいてテーパー状をなす空気力学的な外面形状を有する展望タワー。
【請求項２】
２００メートル以内の高さを有する請求項１に記載の展望タワー。
【請求項３】
展望室は可変速度にて移動可能である請求項１または２に記載の展望タワー。
【請求項４】
実質的に地上に配置された第１の部分、および実質的に地下に配置された第２の部分を有するほぼ直立した支持部材と、
同支持部材を上下に移動可能な展望室とを備える展望タワー。
【請求項５】
支持部材の第１の部分と第２の部分との間に、展望室に搭乗するための搭乗階をさらに備え、展望室は同搭乗階に対して上下に移動可能である請求項４に記載の展望タワー。
【請求項６】
地下室が支持部材の第２の部分の周囲に設けられる請求項４または５に記載の展望タワー。
【請求項７】
前記地下室は、展望室が支持部材の第２の部分の位置にあるときには、展望室を収容するように構成されている請求項４乃至６のいずれか一項に記載の展望タワー。
【請求項８】
前記地下室は水関連環境を提供する請求項４乃至７のいずれか一項に記載の展望タワー。
【請求項９】
展望室はほぼ透明な材料からなる請求項１乃至８のいずれか一項に記載の展望タワー。
【請求項１０】
再生可能なエネルギーを用いて展望タワーを稼動させる請求項１乃至９のいずれか一項に記載の展望タワー。
【請求項１１】
再生可能なエネルギーは光起電システムまたは風力タービンにより生じる請求項１０に記載の展望タワー。
【請求項１２】
機械室が支持部材の下部部分に設置される請求項１乃至１１のいずれか一項に記載の展望タワー。
【請求項１３】
展望タワーの好ましくない振動を減衰させるための減衰装置をさらに備える請求項１乃至１２のいずれか一項に記載の展望タワー。
【請求項１４】
前記減衰装置は質量ばねダンパを備え、直立した支持部材に対する展望室の高度に応じて減衰特性を変化させるように調整可能である請求項１３に記載の展望タワー。
【請求項１５】
前記減衰装置は直立した支持部材の上部に組み込まれる請求項１３または１４に記載の展望タワー。
【請求項１６】
添付図面を参照しつつ明細書において説明される展望タワー。
【発明の詳細な説明】
【技術分野】
【０００１】
本発明は展望タワーに関する。より詳細には、本発明は可動展望室を有する展望タワーに関する。
【背景技術】
【０００２】
当業界においては多くの種類の展望タワーが周知である。例えば、特許文献１および２に開示された展望タワーは森林火災の監視用に採用されている。このようなタワーは迅速に建設でき、人員を頂部まで運搬するためのはしごまたは昇降機を備え、かつ環境に優しい材料により製造することができたり、周囲の環境と融和するように装ったりすることができる。
【０００３】
展望タワーはまたレジャーおよび娯楽用施設を提供する手段としても使用される。その例には米国テキサス州の「タワーオブアメリカ」、スペイン国マドリッド市の「マドリッドタワー」、およびカナダ国オンタリ州ナイアガラの滝近傍の「スカイロン」がある。類似のタワーが世界中には多数存在する。しかしこれらの例の中には、レストランおよび店舗を備えることができる展望プラットフォームが特定の高度に固定されているタワーがある。それらには来訪者を地面上から展望プラットフォームまで運搬するため、昇降機または階段が通常はタワーシャフト内に設けられている。従って、来訪者は展望プラットフォームへの往来でタワーを昇降するときには閉塞されて展望を制約される。これに代えて、アジアのマカオにある「マカオタワー」のように、タワーシャフトの外面に透明な昇降機を設けることができるが、上記と同様の問題は残るとともに、外部昇降機は目障りであり、かつタワーの美観を損ねるという不具合を生じる。
【０００４】
さらに例えば特許文献３および４に開示されたタワーの構造例においては、自力で昇降可能な展望プラットフォームがタワーに設置されている。この２つの事例においては、例えばいわゆる「パンタグラフ」（ｌａｚｙ  ｔｏｎｇｓ）システムを用いて伸縮したり、地中に完全に没入したりすることにより、タワーは上下動可能である。これによりこれらの構成の展望プラットフォームは、低位置から高位置に移動することができる。両事例においては、地上において水平方向の大きな面積または垂直方向の大きな面積が必要とされる。「パンタグラフ」システムに関しては、高度を高めるためには大面積を要し、後者の例においては、タワーの全高が地下に収容されていなければならない。従って、展望タワーの配置に関する制約は、可動タワーの両事例にも当てはまる。
【０００５】
さらに、展望プラットフォームへの乗降を可能にするために必要であるタワーシャフトを垂直移動させるには、タワーシャフトの全体的な強度を損なうので、最高高度が制限されるとともに、悪天候条件下において一層脆弱なものとなる。
【０００６】
特許文献５および６は、可動の展望プラットフォームを有する固定型タワーシャフトを備えたタワーを開示している。両事例において、来訪者は展望プラットフォームが地面上にあるときに乗り込み、展望プラットフォームが最高高度に上昇するに伴って周囲の風景を楽しむ。同様のタワーはフス  マシーネンファブリーク社（Ｈｕｓｓ  Ｍａｓｃｈｉｎｅｎｆａｂｒｉｋ  ＧｍｂＨ  ＆  Ｃｏ．  ＧＫ）およびインタミン  ドイツラント社（Ｉｎｔａｍｉｎ  Ｄｅｕｔｓｃｈｌａｎｄ  ＧｍｂＨ  ＆  Ｃｏ．  ＧＫ）により設計および製造されており、例えばそれぞれスカイタワーおよびジャイロタワーである。前記タワーは展望プラットフォームが上昇できる高度および速度が制限されている。それは、展望プラットフォームの外形が、悪天候条件において横方向への動きに影響を受け易いためである。上記のように、乗客および乗員の安全のためにはこのような条件においては妥協
を要するものと思われ、タワーは条件が向上するまで稼動を見合わせねばならないであろう。
【０００７】
さらに、特許文献５に開示された展望プラットフォームの形状は、パノラマのような視界を制約する。また特許文献６に開示された展望プラットフォームの形状は、来訪者が着座していたり立っていたりすると正常な垂直位置をとることができず、それにより来訪者の快適性を低減させる。従って、タワーの機能性は展望プラットフォームの形状および傾斜方向により制約される。
【特許文献１】欧州特許第１０３１６８１号明細書
【特許文献２】欧州特許第０６５９９５９号明細書
【特許文献３】英国特許第６５５９７０号明細書
【特許文献４】欧州特許第０３３７６７３号明細書
【特許文献５】英国特許第１１０９５５５号明細書
【特許文献６】米国特許第３６３３９０４号明細書
【発明の開示】
【発明が解決しようとする課題】
【０００８】
従って、本発明の目的は上記の不具合を解消することを目指す展望タワーを提供することにある。
【課題を解決するための手段】
【０００９】
本発明の一態様において、展望タワーは、ほぼ直立した支持部材と、同支持部材を上下に移動可能な環状をなす展望室とを備え、展望室は支持部材から径方向外方に突出するとともに、支持部材に対してほぼ直角をなし、かつ外周の周りにおいてテーパー状をなす空気力学的な外面形状を有する。
【００１０】
上記に関し、展望タワーの展望室はトロイダル形状を有する。従って、展望室の湾曲した側面は気流を展望室の上方および周囲に容易に流し、展望室に加えられる揚力または抗力を低減させる。このように、例えば展望室が展望タワーの支持部材を上下動するとき、気流により展望室に加えられる抵抗はより小さくなる。
【００１１】
さらに、タワーは強風に対して弱くはならないので、その結果、展望室は２００メートルまで上昇することが可能である。展望室を移動させる速度に対する制御を高めることにより、その速度は必要に応じて可変である。
【００１２】
特に悪天候条件下において、展望室の高度を下げ、風圧によるタワーの横方向への変位を低減することができる。これにより、強風時にもタワーを稼動させ続けることができ、来訪者および乗員の安全と快適さとを保持することができる。
【００１３】
ほぼ直立した支持部材は、実質的に地上に配置された第１の部分と、実質的に地下に配置された第２の部分とを有することが好都合である。この点に関して、展望室は地下位置まで下げられて、地下の催事または地下室に入場したり観察したりすることができる。
【００１４】
本発明の別の態様において、展望タワーは、実質的に地上に配置された第１の部分、および実質的に地下に配置された第２の部分を有するほぼ直立した支持部材と、同支持部材を上下に移動可能な展望室とを備える。
【００１５】
展望室に搭乗するため、搭乗階が支持部材の第１の部分と第２の部分との間に設けられ、展望室は同搭乗階に対して上下に移動することが可能である。
地下室は支持部材の第２の部分の周囲に設けることが好ましく、展望室が支持部材の第
２の部分の位置にあるときには、展望室を収容するように構成することができる。
【００１６】
地下室の外面はほぼ透明な材料からなることができる。
展望タワーの好ましくない振動を減衰させるため、展望タワーの一部として減衰装置を設置することができる。この点に関して、減衰装置は質量ばねダンパからなり、直立した支持部材に対する展望室の高度に応じて減衰特性を変化させるように調整することができる。このようにして、悪天候条件による支持部材の好ましくない振動を減衰除去することができる。
【００１７】
このような減衰装置は、直立した支持部材に組み込むことが好ましい。減衰装置は支持部材の頂部に組み込むことが好都合である。
【発明を実施するための最良の形態】
【００１８】
本発明の実施例を、添付の図面を参照しつつ以下に説明する。
図面に示すように、タワー１はほぼ直立した支持部材２と、環状をなす展望室３とを備える。展望室は、展望室の中心に設けられた前記支持部材を上下に移動可能である。
【００１９】
展望室３は支持部材２から径方向外方に突出するとともに、支持部材に対してほぼ直角をなし、かつ、図示したように、外周の周りにおいてテーパー状をなす空気力学的な外面形状を有する。
【００２０】
好ましい実施例において、展望室は環状の形状、詳細にはトロイダルな外形を有する。従って、展望室の湾曲した側面は気流を展望室の上方および周囲に容易に流し、展望室に加えられる揚力および／または抗力を低減させる。このように、展望室が停止時、または例えば展望室が展望タワーの支持部材を上下動しているとき、気流により展望室に加えられる抵抗はより小さくなる。従って、展望室の空気力学的な形状は、強風の影響に対して脆弱ではなくなることを意味するので、展望室は比較的高い高度においても安定になるであろう。
【００２１】
展望タワーの好ましくない振動を減衰させるため、展望タワーの一部として減衰装置（図示せず）を設置することができる。この点に関して、減衰装置は質量ばねダンパからなり、直立した支持部材に対する展望室の高度に応じて減衰特性を変化させて調整することができる。このようにして、悪天候条件による支持部材の好ましくない振動を減衰させることができる。減衰装置は、調整する目的のため、支持部材内において移動可能とすることができる。
【００２２】
このような減衰装置は、直立した支持部材の頂部に組み込むことが好ましい。
図２に示すように、環状の流路は展望室の中央を通り、展望室の内方を指向する壁面４と支持部材２との間に設けられる。
【００２３】
展望室は７０〜１００人を収容するサイズであることが好ましく、これらの人々に３６０°のパノラマの中を歩きまわる体験を提供できる。展望室は温度と湿度とが調節されて最適な快適性を確保することができる。格納式の太陽光遮光構造を備え、必要に応じて展望室の屋根を覆うことができる。
【００２４】
展望室はスチールおよびガラスにより構成され、好ましくは曲面積層安全ガラスを用いることができる。
図１ａ乃至１ｄに図示するように、展望室は支持部材２を上下に移動し、乗降プラットフォーム位置５に停留すること、および図１ｄに示すように地下位置に移動することができる。
【００２５】
地下位置は、特に悪天候な条件からの避難所を提供したり、特別または限定的な利用領域を提供したりする。
例えば、地下領域には地下水族館を組み込み、それにより、種々の水生の植物および動物を収容した環状をなすタンクの中に落下して行くことができる。水平移動するオフセット・ヒンジ付きのガラスドアを、展望室への出入りに用いてもよい。
【００２６】
支持部材は、例えば直径３．４ｍのグレード４３亜鉛めっきスチールにより形成することができる。図示されていない機械室は、支持部材の下部部分に設置される。
再生可能なエネルギーを用いて展望タワーを稼動させるが、これは光起電システムまたは風力タービンの形態をとることができる。
【図面の簡単な説明】
【００２７】
【図１ａ】異なる高度に展望室が位置する本発明における展望タワーの概略図。
【図１ｂ】異なる高度に展望室が位置する本発明における展望タワーの概略図。
【図１ｃ】異なる高度に展望室が位置する本発明における展望タワーの概略図。
【図１ｄ】異なる高度に展望室が位置する本発明における展望タワーの概略図。
【図２】本発明の展望室の詳細斜視図。
【図３】本発明の展望室の断面図。
【図１ａ】
2008510909.tif 000003
【図１ｂ】
2008510909.tif 000004
【図１ｃ】
2008510909.tif 000005
【図１ｄ】
2008510909.tif 000006
【図２】
2008510909.tif 000007
【図３】
2008510909.tif 000008
【国際調査報告】
2008510909.tif 000009
2008510909.tif 000010
2008510909.tif 000011
2008510909.tif 000012